(57)【特許請求の範囲】
【請求項１】
壁の壁面に設けられた開口部を介して前記壁内に背面側の少なくとも一部が埋め込まれる収納キャビネットを組立てる組立方法であって、
前記収納キャビネットの背面を形成する背板を、前記壁面に平行な少なくとも一方向への移動が許容されると共に前記壁面に直交する方向への移動が規制されるように前記壁面に略平行な姿勢で前記開口部内に仮固定する背板仮固定工程と、
前記収納キャビネットを形成する前記背板以外の部材を、仮固定された前記背板に対して組み付け前記収納キャビネットを構成する箱体を組立てる箱体組立工程と、
前記箱体を前記開口部内に本固定する本固定工程と、
を備える、収納キャビネットの組立方法。
【請求項２】
前記背板仮固定工程では、
前記背板が、前記開口部を画成する上側面及び下側面に係止される、請求項１に記載の収納キャビネットの組立方法。
【請求項３】
前記上側面には当該開口部の上方で水平に延在する上方壁芯材の外周面が露出し、
前記下側面には当該開口部の下方で水平に延在する下方壁芯材の外周面が露出し、
前記背板仮固定工程では、
前記上方壁芯材及び前記下方壁芯材に対して前記背板が係止される、請求項２に記載の収納キャビネットの組立方法。
【請求項４】
前記背板仮固定工程では、
前記背板の上端部を前記壁面に直交する方向に挟む上部仮固定材が、前記上方壁芯材に取り付けられ、
前記背板の下端部を前記壁面に直交する方向に挟む下部仮固定材が、前記下方壁芯材に取り付けられる、請求項３に記載の収納キャビネットの組立方法。
【請求項５】
前記開口部を画成する右側面には当該開口部の右方で鉛直に延在する右方壁芯材の外周面が露出し、
前記開口部を画成する左側面には当該開口部の左方で鉛直に延在する左方壁芯材の外周面が露出し、
前記本固定工程では、
前記箱体が、前記上方壁芯材、前記右方壁芯材、及び前記左方壁芯材に固定される、請求項３又は４に記載の収納キャビネットの組立方法。
【発明の詳細な説明】
【技術分野】
【０００１】
本発明は、壁内に背面側の少なくとも一部が埋め込まれる構造の収納キャビネットを組立てる組立方法に関するものである。
【背景技術】
【０００２】
住宅内の空間をより有効活用するため、収納キャビネットの少なくとも一部を壁内に埋め込む構造により、居住空間の確保と収納空間の確保とを住宅内で両立しようとする技術が知られている（例えば、特許文献１参照）。これらの背景として、住宅側の躯体技術が向上し、住宅強度の壁への依存度が低くなり、単なる間仕切りとして機能させる壁が増えてきたことが挙げられる。
【先行技術文献】
【特許文献】
【０００３】
【特許文献１】特開2001-178642号公報
【発明の概要】
【発明が解決しようとする課題】
【０００４】
ここで、上記のような収納キャビネットを組立てる方法として、収納キャビネットを構成する箱体を組立てた後に壁内に埋め込むといった方法を採用する場合には、収納キャビネットが大型の場合に、壁内へ埋め込む工程で多くの施工人員が必要となる問題点がある。その一方、壁面に設けられた開口部内で収納キャビネットを組立てる方法もある。しかし、開口部の背壁が例えば隣室の石膏ボードの裏面である場合など、背壁の強度が十分でない場合もある。この場合、組立ての土台とすべき収納キャビネットの背板を背壁に固定できない場合もある。これに対し、例えば収納キャビネットの側板を開口部の側面に固定し、その後当該側板に他の板材を組み付けていくといった方法も考えられる。しかしながら、壁面の開口部には寸法誤差が含まれる場合もあるので、上記方法においては、寸法誤差を含む開口部の側面に収納キャビネットの側板が倣うことで、完成後の収納キャビネットの形状が歪んでしまう場合がある。
【０００５】
この問題に鑑み、本発明は、完成後の形状の歪を抑制することができる収納キャビネットの組立方法を提供することを目的とする。
【課題を解決するための手段】
【０００６】
本発明の収納キャビネットの組立方法は、壁の壁面に設けられた開口部を介して壁内に背面側の少なくとも一部が埋め込まれる収納キャビネットを組立てる組立方法であって、収納キャビネットの背面を形成する背板を、壁面に平行な少なくとも一方向への移動が許容されると共に壁面に直交する方向への移動が規制されるように壁面に略平行な姿勢で開口部内に仮固定する背板仮固定工程と、収納キャビネットを形成する背板以外の部材を、仮固定された背板に対して組み付け収納キャビネットを構成する箱体を組立てる箱体組立工程と、箱体を開口部内に本固定する本固定工程と、を備える。
【０００７】
この組立方法によれば、収納キャビネットの背板が開口部に対して仮固定され、壁面に直交する方向への背板の移動が規制される。従って、背板が手前側に倒れて来る動きが阻止され、背板以外の部材を組み付ける作業中においても、背板を安定した土台として使用することができる。また、上記仮固定では、壁面に平行な少なくとも一方向への背板の移動が許容される。従って、背板に対して他の部材を組み付ける際に、組立途中の箱体は、開口部に拘束されないように壁面に平行な上記の方向に僅かに変位することができる。よって、開口部の寸法誤差に起因して収納キャビネットに発生する形状の歪を抑制することができる。
【０００８】
また、背板仮固定工程では、背板が、開口部を画成する上側面及び下側面に係止されることとしてもよい。この構成によれば、上側面及び下側面によって背板及び箱体を支持し仮固定することができる。
【０００９】
具体的な構成として、上側面には当該開口部の上方で水平に延在する上方壁芯材の外周面が露出し、下側面には当該開口部の下方で水平に延在する下方壁芯材の外周面が露出し、背板仮固定工程では、上方壁芯材及び下方壁芯材に対して背板が係止されるようにしてもよい。
【００１０】
更に具体的には、背板仮固定工程では、背板の上端部を壁面に直交する方向に挟む上部仮固定材が、上方壁芯材に取り付けられ、背板の下端部を壁面に直交する方向に挟む下部仮固定材が、下方壁芯材に取り付けられるようにしてもよい。
【００１１】
また、本発明の収納キャビネットの組立方法では、開口部を画成する右側面には当該開口部の右方で鉛直に延在する右方壁芯材の外周面が露出し、開口部を画成する左側面には当該開口部の左方で鉛直に延在する左方壁芯材の外周面が露出し、本固定工程では、箱体が、上方壁芯材、右方壁芯材、及び左方壁芯材に固定されるようにしてもよい。
【発明の効果】
【００１２】
本発明によれば、完成後の形状の歪を抑制することができる収納キャビネットの組立方法を提供することができる。
【図面の簡単な説明】
【００１３】
【図１】（ａ）は、実施形態の組立方法が適用される収納キャビネットの一例を示す斜視図であり、（ｂ）は、その分解斜視図である。
【図２】図１の収納キャビネットが設置される壁を示す斜視図である。
【図３】（ａ），（ｂ）は、背板仮固定工程を示す斜視図であり、（ｃ）は背板が仮固定された状態を示す鉛直断面図である。
【図４】箱体組立工程を示す分解斜視図である。
【図５】完成後の収納キャビネットにおいて、壁側の上端部及び下端部を示す鉛直断面図である。
【発明を実施するための形態】
【００１４】
以下、図面を参照しつつ本発明に係る収納キャビネットの組立方法の実施形態について詳細に説明する。
【００１５】
図１に示される収納キャビネット１は、例えば住宅の居室の収納家具として用いられるものである。図１（ｂ）に示されるように、居室の壁５０の壁面５０ｓには正面視矩形の開口部５１が形成されており、収納キャビネット１は開口部５１を介して壁５０内に背面側の一部が埋め込まれた状態で設置される。開口部５１は、水平面をなす上側面５１ａ及び下側面５１ｂと、鉛直面をなす右側面５１ｃ及び左側面５１ｄと、壁面５０ｓに平行な背壁面５１ｅと、の５つの平面で画成されている。以下の説明では、壁５０の厚さ方向（壁面に直交する方向）を「壁厚方向」といい、壁面５０ｓに平行な水平方向を「壁幅方向」という場合がある。また、以下の説明で単に「奥側」、「手前側」などという場合には、居室側から見た開口部５１の奥側、手前側を意味するものとする。また、「右」、「左」の概念をもつ語を用いる場合には、居室側から壁５０を見た場合の左右に対応させるものとする。
【００１６】
図１では壁５０の断面の詳細な図示を省略しているが、図２に示されるように、壁５０は、格子状の壁芯部５７と、当該壁芯部５７の両側を壁厚方向に挟む２枚の石膏ボード６１，６２と、で構成されている。なお、図２は壁５０から居室側の石膏ボード６１を取り除いた状態を示している。壁芯部５７は、断面矩形の木材からなる鉛直壁芯材５３，５５と水平壁芯材５２，５４とを有する。そして、鉛直壁芯材５３，５５及び水平壁芯材５２，５４で囲まれる領域において石膏ボード６１に矩形の穴が形成されることで、開口部５１が形成されている。
【００１７】
この構造により、開口部５１の上側面５１ａには開口部５１の上方で壁幅方向に延在する水平壁芯材５２（以下、「上方壁芯材５２」という）の外周面５２ｔが露出しており、開口部５１の下側面５１ｂには開口部５１の下方で壁幅方向に延在する水平壁芯材５４（以下、「下方壁芯材５４」という）の外周面５４ｔが露出している。また、開口部５１の右側面５１ｃには開口部５１の右方で鉛直に延在する鉛直壁芯材５３（以下、「右方壁芯材５３」という）の外周面５３ｔが露出し、開口部５１の左側面５１ｄには開口部５１の左方で鉛直に延在する鉛直壁芯材５３（以下、「左方壁芯材５５」という）の外周面５５ｔが露出している。また、隣室の石膏ボード６２の裏面（壁内側の面）が背壁面５１ｅを構成する。
【００１８】
図１に示されるように、収納キャビネット１は直方体の箱型をなし、背壁面５１ｅに沿って配置され収納キャビネット１の背面を形成する背板１１と、右側面５１ｃに沿って配置される右側板１３と、左側面５１ｄに沿って配置される左側板１５と、上側面５１ａに沿って配置され右側面５１ｃの上端部と左側板１５の上端部とを連結する天板１２と、下側面５１ｂに沿って配置され右側面５１ｃの下端部と左側板１５の下端部とを連結する地板１４と、を備えている。更に、収納キャビネット１は、右側板１３と左側板１５との間に水平に設けられる棚板１６と、地板１４の下方に位置する前框材１９等を備えている。そして、収納キャビネット１は、その背面側の一部が開口部５１に挿入され埋め込まれるように壁５０に設置されている。収納キャビネット１の壁幅方向の寸法及び鉛直方向の寸法は、開口部５１の寸法よりも僅かに小さい。
【００１９】
続いて、図３及び図４を参照しながら、収納キャビネット１の組立方法について説明する。本実施形態の組立方法は、以下に説明する背板仮固定工程と、箱体組立工程と、本固定工程と、仕上げ工程と、を備えている。
【００２０】
（背板仮固定工程）
図３（ａ）及び（ｃ）に示されるように、開口部５１の上側面５１ａと下側面５１ｂとに、Ｌ字金具２１（仮固定材）を設置する。具体的には、上方壁芯材５２の外周面５２ｔ及び下方壁芯材５４の外周面５４ｔにＬ字金具２１の水平片がネジ止めされ、Ｌ字金具２１の鉛直片が背壁面５１ｅに沿うように配置される。Ｌ字金具２１は、壁幅方向に複数（図の例の場合は２個）ずつ配列され設置される。
【００２１】
続いて、背板１１を開口部５１に挿入する。背板１１の下端にはＬ字金具２１を逃げるための切欠き１１ａが形成されている。ここでは、上下に設置されたＬ字金具２１の鉛直片に背板１１の上端部及び下端部がそれぞれ当接した状態となり、下方壁芯材５４の外周面５４ｔに背板１１の下端面が載置される。そして、Ｌ字金具２１の鉛直片がガイドとなり背板１１は壁面５０ｓに略平行な姿勢で設置される。
【００２２】
次に、図３（ｂ）及び（ｃ）に示されるように、背板１１の上端部の手前の位置及び背板１１の下端部の手前の位置に、それぞれ固定材２３（仮固定材）を設置する。具体的には、上方壁芯材５２の外周面５２ｔ及び下方壁芯材５４の外周面５４ｔに固定材２３がネジ止めされる。固定材２３は、例えば壁幅方向に水平に延在する角材であり、開口部５１の壁幅方向の長さよりも短い。
【００２３】
図３（ｃ）に示されるように、背板１１の上端部及び下端部は、それぞれＬ字金具２１と固定材２３とにより壁厚方向に挟まれた状態となる。この構造により、背板１１は、上側面５１ａにおける上方壁芯材５２の外周面５２ｔ及び下側面５１ｂにおける下方壁芯材５４の外周面５４ｔに係止される。ここでは、上方壁芯材５２に取り付けられたＬ字金具２１及び固定材２３が、背板１１の上端部を挟んで係止する上部仮固定材として機能し、下方壁芯材５４に取り付けられたＬ字金具２１及び固定材２３が、背板１１の下端部を挟んで係止する下部仮固定材として機能する。そして、背板１１は、壁面５０ｓに略平行な姿勢で配置され、壁厚方向への移動が規制された状態となる。すなわち、背板１１の手前側への移動は固定材２３に阻止され、背板１１が手前側に倒れて来るような動きも阻止される。また、背板１１は、壁幅方向への移動が許容された状態となる。すなわち、背板１１は、壁幅方向には拘束されておらず、Ｌ字金具２１及び固定材２３に対して壁幅方向に摺動することで、僅かに壁幅方向に移動可能である。以上のような状態で、背板１１が開口部５１内に仮固定される。なおここでは、背板１１と上方のＬ字金具２１との間にも鉛直方向に間隙が形成されるので、ガタつきによって背板１１が鉛直方向にも僅かに移動可能である。
【００２４】
（箱体組立工程）
図４に示されるように、箱体組立工程では、収納キャビネット１を形成する背板１１以外の部材（右側板１３、左側板１５、天板１２、地板１４等）を、仮固定された背板１１に対して組み付け、箱体２を組立てる。なお、箱体２とは、少なくとも背板１１と、右側板１３と、左側板１５と、右側板１３と左側板１５とを連結する天板１２及び地板１４と、を含み、収納キャビネット１の少なくとも一部が略直方体形状に形成された状態のものを言う。
【００２５】
具体的には、図４に示されるように、開口部５１内に仮固定された背板１１の右端部に対して右側板１３を接合し、背板１１の左端部に対して左側板１５を接合する。更に、背板１１、右側板１３及び左側板１５に対して、棚板１６、地板１４、天板１２をこの順に組み付ける。なお、天板１２を接合する際には、右側板１３と左側板１５との間に手前側から壁厚方向に天板１２を挿入し、右側板１３と左側板１５とのそれぞれ上端部に取り付けられた接合用金具の上に滑り込ませるようにしてもよい。上記接合用金具は、壁厚方向に複数配列されてもよい。また、接合用金具に代えて、壁厚方向に延在し天板１２を載置するガイド材等が右側板１３と左側板１５とのそれぞれ上端部に取り付けられてもよい。
【００２６】
上記の各板材（背板１１、天板１２、右側板１３、地板１４、左側板１５、棚板１６）同士の接合には、公知の接合手段を用いることができる。例えば、上記の接合手段としては、公知の家具組立用の接合具等（シャフトとジョイント受け材等で勘合する締結金具、Ｌ字金具、木ダボ等）を用いることができ、これらを適宜組み合わせて採用することができる。また、桟木などの受け材で板材を固定する方法を採用してもよい。なお、この種の接合具を使用する場合には、図４に例示されるように、接合具類１８を予め各板材に取り付けておいてもよい。以上により、互いに組み付けられた各板材からなり収納キャビネット１を構成する箱体２が完成する。この時点では、箱体２は、Ｌ字金具２１及び固定材２３を介して、上方壁芯材５２及び下方壁芯材５４に支持されている。
【００２７】
（本固定工程）
次に、上記のように組み立てられた箱体２を開口部５１内に本固定する。具体的には、箱体２の天板１２の奥側の部位を箱体２の内側から上方壁芯材５２にネジ止めし、右側板１３の奥側の部位を箱体２の内側から右方壁芯材５３にネジ止めし、左側板１５の奥側の部位を箱体２の内側から左方壁芯材５５にネジ止めする。これにより、箱体２が壁５０の開口部５１に対して本固定され、上方壁芯材５２、右方壁芯材５３及び左方壁芯材５５によって３方向から支持される。なお、図５に示されるように、ネジ止めの際に、上方壁芯材５２と天板１２との間に、壁幅方向に延在する隙間材２４を介在させてもよい。
【００２８】
（仕上工程）
次に、図５に示されるように、開口部５１の手前側において、天板１２と居室天井との間に、壁幅方向に延在する幕板２７を設置する。また、地板１４と開口部５１の下側面５１ｂとの間に、壁幅方向に延在する後框材２９を設置し、後框材２９の更に手前側の位置に前框材１９（図１参照）を設置する。なお、幕板２７、後框材２９、及び前框材１９は、右側板１３及び左側板１５に固定されてもよく、天板１２或いは地板１４に固定されてもよい。また、幕板２７及び前框材１９は、上記の箱組立工程における各板材の接合よりも先に予め所定の箇所に取り付けられていてもよい。このような幕板２７、後框材２９、及び前框材１９の存在により、固定材２３等を含む開口部５１内の加工部位が居室側から隠されるので、収納キャビネット１の意匠性が確保される。また、後框材２９、及び前框材１９は、地板１４の耐荷重強度の向上にも寄与する。
【００２９】
続いて、以上説明した収納キャビネット１の組立方法による作用効果について説明する。
【００３０】
上記の組立方法によれば、最初に背板１１が開口部５１に対して仮固定され、壁厚方向への背板１１の移動が規制され、背板１１が手前側に倒れて来る動きが阻止される。従って、箱組立工程の作業においても、背板１１を安定した土台として使用することができる。また、上記仮固定では、壁幅方向への背板１１の移動が許容される。従って、背板１１に対して他の部材を組み付ける際において、組立途中の箱体２は、開口部５１に拘束されないように壁幅方向に僅かに変位することができる。更に、背板１１の鉛直方向のガタつきにより、同様に鉛直方向にも背板１１が僅かに変位することができる。よって、開口部５１に寸法誤差がある場合に、当該開口部５１に右側板１３や左側板１５が倣って収納キャビネット１の形状が歪んでしまう現象を抑制することができる。
【００３１】
また、上記仮固定では、背板１１が、開口部５１の上側面５１ａ及び下側面５１ｂに係止される。この構成によれば、例えば、強度不足等の理由によって背壁面５１ｅに組立途中の箱体２を支持させることが困難な場合であっても、上側面５１ａ及び下側面５１ｂによって背板１１及び箱体２を支持し仮固定することができる。また、背板１１を背壁面５１ｅ上に固定する必要がないことから、背壁面５１ｅと収納キャビネット１の背板１１との間に間隙を確保する必要がある場合にも、対応が可能である。また、例えばＬ字金具２１と固定材２３とを更に手前側に設置することで、背壁面５１ｅと背板１１との間隙を広くすることも可能である。
【００３２】
本発明は、上述した実施形態を始めとして、当業者の知識に基づいて種々の変更、改良を施した様々な形態で実施することができる。また、上述した実施形態に記載されている技術的事項を利用して変形例を構成することも可能である。各実施形態の構成を適宜組み合わせて使用してもよい。
【００３３】
例えば、実施形態では、１つの開口部５１に対して１列の収納キャビネット１を構築する例を説明したが、１つの開口部に対して複数列の収納キャビネットを構築する場合にも、同様に本発明を適用することができる。また、実施形態では、背面側の一部のみが壁５０に埋め込まれた収納キャビネット１について説明したが、本発明は、背面側から全部が壁に埋め込まれた収納キャビネットにも適用可能である。また、本発明の組立方法において収納キャビネットが設置される壁は、間仕切壁であっても耐力壁であってもよい。
【符号の説明】
【００３４】
１…収納キャビネット、１１…背板、２１…Ｌ字金具（上部仮固定材、下部仮固定材）、２３…固定材（上部仮固定材、下部仮固定材）、５０…壁、５０ｓ…壁面、５１…開口部、５１ａ…上側面、５１ｂ…下側面、５１ｃ…右側面、５１ｄ…左側面、５１ｅ…背壁面、５２…上方壁芯材、５２ｔ…外周面、５３…右方壁芯材、５３ｔ…外周面、５４…下方壁芯材、５４ｔ…外周面、５５…左方壁芯材、５５ｔ…外周面。
【図１】
0006569475.tif 000002
【図２】
0006569475.tif 000003
【図３】
0006569475.tif 000004
【図４】
0006569475.tif 000005
【図５】
0006569475.tif 000006